(57)【要約】【課題】電力供給部の保持状態を瞬時に判別することができる。【解決手段】本発明に係る表示装置は、表示部と、切替部と、電力供給部と、保持部と、検出部とを備える。表示部は、電子ペーパーで構成される。切替部は、表示部の表示態様を切り替える。電力供給部は、切替部の駆動に用いられる電力を供給する。保持部は、電力供給部を保持する。検出部は、保持部による電力供給部の保持状態を検出する。また、切替部は、検出部による検出に基づき、表示態様を切り替える。【選択図】図８
2013020156.tif 000002
【特許請求の範囲】
【請求項１】
電子ペーパーで構成される表示部と、
前記表示部の表示態様を切り替える切替部と、
前記切替部の駆動に用いられる電力を供給する電力供給部と、
前記電力供給部を保持する保持部と、
前記保持部による前記電力供給部の保持状態を検出する検出部と、
を備え、
前記切替部は、前記検出部による検出に基づき、前記表示態様を切り替える、
表示装置１４。
【請求項２】
前記検出部は、前記電力供給部が前記保持部に保持されている第１状態から前記電力供給部が前記保持部に保持されていない第２状態への変化を検出し、
前記切替部は、前記検出部によって前記変化が検出されると、前記表示態様を切り替える、
請求項１に記載の表示装置。
【請求項３】
前記切替部による前記表示態様の切り替えは、前記表示部に所定の内容を表示させること、または、前記表示部に表示させていた内容を消去することである、
請求項２に記載の表示装置。
【請求項４】
前記保持部は、
枠体の内部に前記電力供給部を保持し、
前記電力供給部を覆う遮蔽部と、
前記電力供給部に対して前記枠体の外側に向けた外方向に第１の力を加える第１の付勢部と、
前記電力供給部に対して前記外方向に対向する内方向に第２の力を加える第２の付勢部と
を備え、
前記第２の付勢部は、
前記電力供給部が前記遮蔽部によって覆われているとき、前記第２の力を前記電力供給部に加え、
前記電力供給部が前記遮蔽部によって覆われていないとき、前記第２の力を前記電力供給部に加えない、
請求項１から３のいずれかに記載の表示装置。
【請求項５】
前記遮蔽部の第１部分は、前記遮蔽部が前記電力供給部を露出させる露出方向にスライドされたとき、前記第２の付勢部の第１部分と連結され、
前記電力供給部が露出するとき、前記第２の付勢部も前記露出方向に移動し、前記電力供給部に加えていた力を解放する、
請求項４に記載の表示装置。
【請求項６】
前記保持部は、
前記電力供給部に対して前記外方向に直交する直交方向に第３の力を加える第３付勢部をさらに備える、
請求項４または５に記載の表示装置。
【発明の詳細な説明】
【技術分野】
【０００１】
本発明は、表示装置に関する。
【背景技術】
【０００２】
従来、物流センター、配送センターおよび出荷センター等、多種類および多数の物品が扱われる場所では、例えば、特開２００７−２９０８０３号公報で示すように、多数の表示装置が用いられている。表示装置は、物品に関する情報を表示する装置である。表示装置は、例えば、物品の個数または種類等が表示される。
【発明の概要】
【発明が解決しようとする課題】
【０００３】
ところで、物流センター等における物品の配置変更等に伴って、表示装置の設置場所の変更も必要になる場合がある。配置場所の変更を容易にするため、表示装置が、電力供給部を備え、電力供給部に蓄えられた電力によって駆動するように構成されることが提案されている。さらに、表示装置の消費電力を抑制するため、表示部として電子ペーパーを採用する技術も提案されている。電子ペーパーは、一旦表示部に表示された内容（表示態様）を維持するための電力を必要としないため、消費電力を抑制することができる。
【０００４】
しかし、電力供給部の充電のため、多数の表示装置のそれぞれから電力供給部を取り外した場合であっても、各表示装置の表示部は表示態様を維持するため、どの表示装置の電力供給部が取り外され、どの表示装置に電力供給部が取り付けられているかを判別する作業は煩雑となる。
【０００５】
そこで、本発明の課題は、電力供給部の取り付け状態を容易に判別できる表示装置を提供することにある。
【課題を解決するための手段】
【０００６】
本発明に係る表示装置は、表示部と、切替部と、電力供給部と、保持部と、検出部とを備える。表示部は、電子ペーパーで構成される。切替部は、表示部の表示態様を切り替える。電力供給部は、切替部の駆動に用いられる電力を供給する。保持部は、電力供給部を保持する。検出部は、保持部による電力供給部の保持状態を検出する。また、切替部は、検出部による検出に基づき、表示態様を切り替える。
【０００７】
これにより、電力供給部の保持状態を瞬時に判別することができる。
【０００８】
また、検出部は、第１状態から第２状態への変化を検出することが好ましい。第１状態とは、電力供給部が保持部に保持されている状態であり、第２状態とは、電力供給部が前記保持部に保持されていない状態である。切替部は、検出部によって変化が検出されると、表示態様を切り替えることが好ましい。
【０００９】
さらに、切替部による表示態様の切り替えは、表示部に所定の内容を表示させること、または、表示部に表示させていた内容を消去することであることが好ましい。
【００１０】
また、保持部は、枠体の内部に電力供給部を保持し、遮蔽部と、第１の付勢部と、第２の付勢部とを備えることが好ましい。遮蔽部は、電力供給部を覆う。第１の付勢部は、電力供給部に対して枠体の外側に向けた外方向に第１の力を加える。第２の付勢部は、電力供給部に対して外方向に対向する内方向に第２の力を加える。また、第２の付勢部は、電力供給部が遮蔽部によって覆われているとき、第２の力を電力供給部に加え、電力供給部が遮蔽部によって覆われていないとき、第２の力を電力供給部に加えないことが好ましい。
【００１１】
さらに、遮蔽部の第１部分は、遮蔽部が電力供給部を露出させる露出方向にスライドされたとき、第２の付勢部の第１部分と連結され、電力供給部が露出するとき、第２の付勢部も露出方向に移動し、電力供給部に加えていた力を解放することが好ましい。
【００１２】
また、保持部は、第３の付勢部をさらに備えることが好ましい。第３の付勢部は、電力供給部に対して外方向に直交する直交方向に第３の力を加える。
【発明の効果】
【００１３】
本発明に係る表示装置は、電力供給部の保持状態を瞬時に判別することができる。
【図面の簡単な説明】
【００１４】
【図１】ソーティングシステムが用いられる物流センター等の一例を示す図である。
【図２】ソーティングシステムの概略構成を示すブロック図である。
【図３】表示装置の正面図である。
【図４】表示装置の斜視図である。
【図５】表示装置の概略構成を示すブロック図である。
【図６】保持部の構造を示す概略図である。
【図７】保持部の構造を示す概略図である。
【図８】電力供給部が取り外されたときの表示態様の例である。
【図９】電力供給部が挿入されたときの表示態様の例である。
【図１０】表示態様の切り替えを説明するためのフローである。
【図１１】変形例Ｂに係る表示態様の例である。
【発明を実施するための形態】
【００１５】
以下、図面を参照しつつ、本発明の一の実施形態に係る表示装置１４について説明する。
【００１６】
本実施形態に係る表示装置１４は、物流センター、配送センターおよび出荷センター等、多種類および多数の物品が扱われる場所で、物品を出荷先別（店舗別）仕分けるためのソーティングシステム１００に用いられる。
【００１７】
（１）ソーティングシステムの概略説明
図１および図２を用いてソーティングシステム１００の概略を説明する。図１は、ソーティングシステム１００が用いられる物流センター等の一例を示す。また、図２は、ソーティングシステム１００の一例を示す。
【００１８】
図１に示すように、物流センター等には、物品を仕分けるための仕分けスペースＳＰが設けられている。仕分けスペースＳＰは、複数の仕分けゾーンＺ１，Ｚ２，・・・に分けられる。各ゾーンＺ１，Ｚ２，・・・には、複数の仕分けコンテナ（例えば、カゴ台車）７０が設けられる。複数の仕分けコンテナ７０は、各ゾーンＺ１，Ｚ２，・・・において、複数の列Ｒ１〜Ｒ４を成して配置される。図１では、ゾーンＺ１に、列Ｒ１，Ｒ２を構成する仕分けコンテナ７０が配置され、ゾーンＺ２には、列Ｒ３，Ｒ４を構成する仕分けコンテナ７０が配置される。列Ｒ１および列Ｒ２の間と、列Ｒ３および列Ｒ４の間とには、それぞれ、作業者ＯＰが台車を押して通過するための搬送経路ＰＡが形成されている。仕分けコンテナ７０には、個数表示を行う表示装置１４が取り付けられる。個数表示とは、当該場所（コンテナ）に投入されるべき物品の数量に関する表示である。言い換えると、個数表示とは、各物品についての受注量に関する表示である。具体的に、個数表示とは、物品の区分（例えば、ケースまたはバラ）と、物品の数量とについての表示である。作業者ＯＰは、搬送経路ＰＡを通過しながら、台車ＴＣに載せた物品（例えば一種類の物品）の山から、表示装置１４の個数表示として表示された数量の物品を、仕分けコンテナ７０に分配していく。
【００１９】
ソーティングシステム１００は、図２に示すように、主として、ホストコンピュータ１０と、中継器１１と、サブコンピュータ１２と、表示コントローラ１３と、多数の表示装置１４とを含む。図２には、一の仕分けゾーンＺ１に対して用いられるソーティングシステム１００の構成を示す。他の仕分けゾーンＺ２も同様の構成が設けられるものとする。
【００２０】
ホストコンピュータ１０は、システム全体を統括する。ホストコンピュータ１０には、ソーティングシステム１００で用いられる基本データおよび仕分けデータが記憶されている。基本データとは、ソーティングシステム１００で仕分け対象となる物品の名前、仕分け先となる店舗の名前・住所、店舗ＩＤ、仕分けゾーンのアドレス、表示装置１４のＩＤ、表示装置１４のロケーション番号、仕分けゾーンおよび表示装置ＩＤを対応付ける第１対応付け情報等が含まれる。仕分けデータとは、各店舗から受注した物品の種類および各物品の受注量、店舗ＩＤおよび表示装置ＩＤを対応付ける第２対応付け情報を含む情報である。
【００２１】
ホストコンピュータ１０は、中継器１１と通信線で接続されている。ホストコンピュータ１０は、中継器１１を介してサブコンピュータ１２および表示コントローラ１３と通信を行う。また、ホストコンピュータ１０は、中継器１１および表示コントローラ１３を介して多数の表示装置１４と通信が可能になっている。
【００２２】
サブコンピュータ１２は、各仕分けゾーンＺ１，Ｚ２に一台設けられる。サブコンピュータ１２は、各仕分けゾーンＺ１，Ｚ２に関連する基本データおよび仕分けデータをホストコンピュータ１０からダウンロードして記憶する。サブコンピュータ１２は、物品に付されたバーコードを読み取るためのバーコードリーダー１２ａを備える。作業者ＯＰが物品の仕分けを開始する前に、バーコードリーダー１２ａを用いて物品のバーコードを読み取ることにより、当該物品に関する仕分けデータがサブコンピュータ１２に表示される。
【００２３】
表示コントローラ１３は、表示装置１４の表示を制御する。表示コントローラ１３は、多数の表示装置１４と無線通信を行う。表示コントローラ１３は、サブコンピュータ１２および中継器１１とそれぞれ通信線で接続されている。表示コントローラ１３は、サブコンピュータ１２から送られる仕分けデータに基づいて表示装置１４に対してコマンドを送信する。また、表示コントローラ１３は、中継器１１を介してホストコンピュータ１０と通信を行う。さらに、表示コントローラ１３は、表示装置１４から送られる信号を受信し、当該信号を中継器１１を介してホストコンピュータ１０に送信する。
【００２４】
表示コントローラ１３は、店舗ＩＤと、表示装置ＩＤとを対応付けるテーブルを記憶している。表示コントローラ１３はまた、サブコンピュータ１２で読み取られた物品のバーコード、および／または、ホストコンピュータ１０から送られる信号に基づき、表示装置１４の表示内容の切り替えおよびライトの点灯／消灯に関するコマンドを各表示装置１４に送る。ここで、表示内容の切り替えとは、表示装置１４に表示させる物品情報（例えば、個数表示、商品コード、販売コード等）の切り替えを意味する。
【００２５】
多数の表示装置１４は、表示コントローラ１３から送られたコマンドに基づき、表示部に表示させる内容（情報）の切り替えおよびライトの点灯／消灯を行う。
【００２６】
（２）表示装置の詳細構成
次に、図３〜図９を参照しながら、表示装置１４の構成を詳細に説明する。
【００２７】
表示装置１４は、図３および図４に示すように、仕分け作業に関連する情報が表示される。仕分け作業に関連する情報には、例えば、仕分けコンテナ７０の配置場所を示すロケーションＩＤ、仕分けコンテナ７０に割り当てられた店舗に関する情報、および仕分け対象となる物品に関する情報が含まれる。ここで、店舗に関する情報とは、各店舗に割り当てられた番号（店舗ＩＤ）である。また、仕分け対象となる物品に関する情報とは、各物品（または商品）に割り当てられた番号（物品ＩＤまたは商品ＩＤ）、物品の個数表示、物品の売価、および物品の仕分け期限等である。なお、個数表示とは、上述したように、各物品についての受注量に関する表示である。具体的に、個数表示とは、物品の区分（例えば、ケースまたはバラ）と、物品の数量とについての表示である。より具体的に、個数表示は、仕分けコンテナ７０に割り当てられた店舗から受注された物品の数量（受注量）および区分である。表示装置１４に表示される情報は、表示コントローラ１３から送られるコマンドおよび作業者ＯＰによる機能スイッチの操作に基づき、切り替えられる。
【００２８】
表示装置１４は、無線の表示端末であり、可搬性がある。また、表示装置１４は、上述したように、仕分けコンテナ７０に取り付けられる。
【００２９】
次に、図５を参照して、表示装置１４の概略構成を説明する。表示装置１４は、主として、通信部４１と、表示部４２と、報知部４３と、入力部４４と、電力供給部４５と、制御装置４６とから構成されている。また、これらの構成は、枠体ＣＳおよび枠体ＣＳの内部に取り付けられている。
【００３０】
（２−１）通信部
通信部４１は、表示コントローラ１３や外部端末（例えば、携帯端末）との通信を可能にするための通信インターフェースである。すなわち、通信部４１は、無線受信部および無線送信部として機能する。
【００３１】
（２−２）表示部
表示部４２は、仕分け作業に関連する情報を表示するための画面を構成する。表示部４２は、表示コントローラ１３から送信されるコマンドおよび作業者ＯＰによる機能スイッチの操作に基づいて表示部４２に表示される内容を切り替え、または、更新する。また、表示部４２は、後述する表示切替の指令に基づき、表示内容または表示画面の態様を切り替える。
【００３２】
表示部４２は、電子ペーパーである。電子ペーパーは、マトリクス状に配列された複数の画素で構成された、ドットマトリクス方式の不揮発性表示装置である。電子ペーパーは、駆動電力を与えることなく表示内容を保持することができる。言い換えると、電子ペーパーは、書き換え時を除き、エネルギーを必要としない。
【００３３】
（２−３）報知部
報知部４３は、物品が投入されるべき仕分けコンテナ７０であることを示すためのライトである。報知部４３は、表示装置１４の枠体ＣＳに取り付けられている（図３および図４参照）。報知部４３は、上述したように、表示コントローラ１３から送信されるコマンドに基づいて、点灯／消灯を行う。また、報知部４３は、作業者ＯＰによって後述する入力部４４が操作されることにより消灯する。
【００３４】
（２−４）入力部
入力部４４は、表示装置１４の枠体ＣＳに取り付けられ、作業者ＯＰによる入力を付けつけるスイッチである。入力部４４は、電源スイッチ４４ａと、機能スイッチ４４ｂと、完了スイッチ４４ｃとを含む（図３および図４参照）。
【００３５】
電源スイッチ４４ａは、表示装置１４の電源のＯＮ／ＯＦＦの切り替えに関する入力を受け付けるためのスイッチである。機能スイッチ４４ｂは、表示装置１４に表示されている内容の切り替え（情報の切り替え）に関する入力を受け付けるためのスイッチである。完了スイッチ４４ｃは、所定数量の物品の投入が完了した後に押すスイッチである。ここで、「表示装置１４に表示されている内容を切り替える」とは、例えば、表示されている内容を商品ＩＤから店舗ＩＤに切り替えたり、商品ＩＤから売価に切り替えたり、個数表示の数を変更したり、受注量から仕分けコンテナ７０に投入済みの物品の数を差し引いた数を表示させたりすることである。なお、入力部４４が作業者ＯＰからの入力を受け付けた場合には、作業者ＯＰによって入力された情報がホストコンピュータ１０に送られる。
【００３６】
（２−５）電力供給部
電力供給部４５は、充電式のバッテリーである。電力供給部４５は、表示装置１４の駆動に必要な電力（例えば、表示内容の切り替えおよび通信）を供給する。電力供給部４５は、入出力端子を有する。
【００３７】
電力供給部４５は、保持部４７に保持される。保持部４７は、枠体ＣＳの内部に設けられる。図６および図７は、保持部４７の構造を示す概略図である。図６は、電力供給部４５が保持部４７内に装着されている状態を示し、図７は、電力供給部４５が保持部４７から取り出される状態を示す。
【００３８】
図６および図７に示すように、保持部４７は、主として、挿込口４７１と、受け部４７２と、遮蔽部４７３、第１付勢部４７４と、第２付勢部４７５と、第３付勢部４７６とから構成される。
【００３９】
（２−５−１）挿込口
挿込口４７１は、枠体ＣＳの外部から電力供給部４５を枠体ＣＳの内部に挿入するための開口部である。挿込口４７１は、枠体ＣＳの側部に設けられる。挿入口４７１には、後述の遮蔽部４７３が取り付けられている。
【００４０】
（２−５−２）受け部
受け部４７２は、挿込口４７１に対向する部分に配置される。受け部４７２から挿込口４７１までの長さは、保持部４７の奥行きとなる。受け部４７２には、上述の入出力端子を接続するためのコネクタ４７１ａが取り付けられている。
【００４１】
（２−５−３）遮蔽部
遮蔽部４７３は、枠体ＣＳの側部の一部を構成する板状部材である。遮蔽部４７３は、枠体ＣＳの側部に沿って上下方向にスライド可能な構成である。遮蔽部４７３は、下方向（露出方向）または上方向（遮蔽方向）にスライドされることにより、挿込口４７１を開閉する。具体的に、遮蔽部４７３は、露出方向にスライドされることにより、電力供給部４５を露出させる。また、遮蔽部４７３は、遮蔽方向にスライドされることにより、電力供給部４５を覆う。遮蔽部４７３は、遮蔽方向一端部である上側端部と、露出方向一端部である下側端部（遮蔽部の第１部分）とを有する。下側端部は、後述する第２付勢部４７５と連結可能な構成になっている。
【００４２】
（２−５−４）第１付勢部
第１付勢部４７４は、受け部４７２に設けられる。第１付勢部４７４は、弾力性を利用してエネルギーを吸収・蓄積可能な部材である。例えば、第１付勢部４７４は、スプリングである。第１付勢部４７４は、電力供給部４５に力を加える。具体的に、第１付勢部４７４は、電力供給部４５に対して、遮蔽部４７３が開閉する方向（本実施形態では、上下方向）に直交する第１の方向に力を加える。第１の方向とは、電力供給部４５を枠体ＣＳの外側に押し出す方向（本実施形態では、水平方向）である。言い換えると、第１の方向とは、外方向である。すなわち、第１付勢部４７４は、電力供給部４５を枠体ＣＳの外側に押し出すように電力供給部４５に対して力（第１の力）を加える。
【００４３】
（２−５−５）第２付勢部
第２付勢部４７５は、挿込口４７１近傍に配置され、電力供給部４５が枠体ＣＳの外側に押し出されないように、電力供給部４５に対して第２の方向に力を加える部材である。第２の方向とは、第１の方向に対向する方向である。言い換えると、第２の方向とは、内方向である。すなわち、第２付勢部４７５は、第１付勢部４７４によって加えられる力を打ち消すように、電力供給部４５に対して内側に向けた力（第２の力）を加える。第２付勢部４７５もまた、弾力性を利用してエネルギーを吸収・蓄積可能な部材である。例えば、第２付勢部４７５は、スプリングである。
【００４４】
なお、第２付勢部４７５は、ヘッド部４７５ａを有する。ヘッド部４７５ａは、電力供給部４５に接触し、電力供給部４５が保持部４７から出ないようにストッパーとして機能する。ヘッド部４７５ａは、傾斜した上面と、連結部（第２付勢部の第１部分）とを有する。連結部は、上面に対して反対側の端部近傍に配置される。傾斜した上面は、挿込口４７１側が低く、受け部４７２側が高くなっている。遮蔽部４７３が閉じられているとき、受け部４７２側のヘッド部４７５ａ上面が電力供給部４５に接触し、電力供給部４５に第２の力を加える。
【００４５】
連結部は、遮蔽部４７３が遮蔽方向に移動したとき（すなわち、遮蔽部４７３が開かれたとき）、遮蔽部４７３の下側端部（第１部分）と連結される。これにより、遮蔽部４７３が下方向（第３の方向）にスライドされて電力供給部４５が露出するとき、第２付勢部４７５は圧縮されてヘッド部４７５ａを下方向（第３の方向）に移動させて、電力供給部４５に加える第２の力を解放する。言い換えると、第２付勢部４７５は、電力供給部４５に第２の力を加えない。すなわち、電力供給部４５は、第１付勢部４７４によって加えられた第１の力により、枠体ＣＳの外側に押し出される。一方、遮蔽部４７３が上方向にスライドされ遮蔽部４７３が電力供給部４５を覆うとき、第２付勢部４７５は伸長されてヘッド部４７５ａを上方向に移動させ、第２の力を電力供給部４５に加える。
【００４６】
（２−５−６）第３付勢部
第３付勢部４７６は、挿込口４７１に対して第２付勢部４７５の後方に配置される。言い換えると、第３付勢部４７６は、保持部４７の奥行き方向において、第２付勢部４７５よりも受け部４７２側に配置される。第３付勢部４７６は、電力供給部４５に対して、常時一定の力を加え続ける部材である。第３付勢部４７６は、電力供給部４５に対して第１の方向に直交する方向（第４の方向）に力を加える。言い換えると、第３付勢部４７６は、電力供給部４５に対して、上方向に力を加え、摩擦力を発生させる。すなわち、第３付勢部４７６は、第１付勢部４７４によって加えられる水平方向の力を低減させるように、電力供給部４５に対して力（第３の力）を加える。第３付勢部４７６もまた、弾力性を利用してエネルギーを吸収・蓄積可能な部材である。例えば、第３付勢部４７６は、スプリングである。
【００４７】
なお、第３付勢部４７６もまた、ヘッド部４７６ａを有する。ヘッド部４７６ａは、電力供給部４５に接触する。ヘッド部４７６ａは、傾斜した上面と、連結部とを有する。連結部は、上面に対して反対側の端部近傍に配置される。傾斜した上面は、挿込口４７１側が低く、受け部４７２側が高くなっている。遮蔽部４７３が閉じられているとき、受け部４７２側のヘッド部４７６ａ上面が電力供給部４５に接触して第３の力を加え、電力供給部４５との間で摩擦力を発生させる。一方、遮蔽部４７３が開かれた状態で電力供給部４５が挿込口４７１から挿入される時、挿込口４７１側のヘッド部４７６ａ上面と電力供給部４５とが接触し、第３付勢部４７６は電力供給部４５によって圧縮されヘッド部４７６ａが下方向に押し下げられる。
【００４８】
（２−６）制御装置
制御装置４６は、表示装置１４の駆動部として機能する。具体的に、制御装置４６は、ＣＰＵ，ＲＡＭ，ＲＯＭ，およびハードディスクによって構成されている。
【００４９】
また、制御装置４６は、表示部４２の表示画面を管理するためのプログラムの他、各表示装置１４に固有の装置ＩＤ、画面を構成するための情報、表示コントローラ１３から送られた直近のコマンド等を記憶している。画面を構成するための情報とは、表示画面のどの部分にどのような情報を表示させるか等の表示領域に関する情報である。
【００５０】
さらに、制御装置４６は、補助電力供給部４６４を有する。補助電力供給部４６４は、電力供給部４５から供給された電力の一部を回路内に蓄える。具体的に、補助電力供給部４６４は、コンデンサである。補助電力供給部４６４は、微量の電力を回路内に蓄える。ここで、微量とは、電力供給部４５が表示装置１４から取り外された後であっても、表示部４２に表示された内容を数回変更できる程度の量である。
【００５１】
さらに、制御装置４６は、主として、表示切替部４６１、送信部４６２、および電圧検出部４６３として機能する。
【００５２】
（２−６−１）表示切替部
表示切替部４６１は、表示コントローラ１３から送られるコマンドおよび入力部４４で受け付けた信号（作業者ＯＰによる入力部４４の入力）に基づいて、表示部４２に表示させる内容（表示内容）を切り替える。また、表示切替部４６１は、後述する電圧検出部４６３による検出結果に基づき、表示内容または表示画面の態様を切り替える。具体的に、表示切替部４６１は、電圧検出部４６３から送られる表示切替の指令に基づき、表示内容および表示画面の態様を切り替える。ここで、表示内容または表示画面の態様の切り替えとは、画面に表示させる内容自体の変更または表示させる内容の表示方法の変更等を含む。
【００５３】
（２−６−２）送信部
送信部４６２は、表示切替部４６１によって表示部４２の表示が切り替えられたことを示す信号を、通信部４１を介してホストコンピュータ１０に向けて送信する。
【００５４】
（２−６−３）電圧検出部
電圧検出部４６３は、電力供給部４５の有無および電力供給部４５から回路に供給される電圧の値を検出する。電力供給部４５の有無とは、電力供給部４５が保持部４７に保持されているか否かである。すなわち、電圧検出部４６３は、保持部４７による電力供給部４５の保持状態を検出する。具体的には、電力供給部４５が保持部４７によって保持されている状態（第１の状態）と、電力供給部４５が保持部４７によって保持されていない状態（第２の状態）とを検出する。さらに、電圧検出部４６３は、保持部４７による電力供給部４５の保持の状態変化を検出する。電圧検出部４６３は、第１の閾値を用いて、第１の状態と、第２の状態とを区別する。具体的には、電力供給部４５が保持されていない状態の電圧値（ゼロ）を第１の閾値とし、検出される電圧値に変化があった場合（すなわち、電圧値が０を上回った場合）に、第２の状態であるものと判断する。
【００５５】
また、電圧検出部４６３は、電力供給部４５が保持部４７によって保持されていないと判断した場合（すなわち、バッテリーが外されている場合）には、表示切替部４６１に対して表示切替の指令を送る。具体的に、電圧検出部４６３は、表示切替部４６１に対し、表示部４２に「ＢＡＴ  ＯＵＴ」を表示させるように指令する（図８参照）。すなわち、表示部４２には、バッテリーが外された状態である旨を示す表示がされる。
【００５６】
さらに、電圧検出部４６３は、電力供給部４５が保持部４７によって保持されていないと判断した後、電力供給部４５から供給される電圧を検出した場合には、表示切替部４６１に対してさらに表示切替の指令を送る。具体的に、電圧検出部４６３は、表示切替部４６１に対し、表示部４２に「ＢＡＴ  ＩＮ」を表示させるように指令する（図９参照）。すなわち、表示部４２には、バッテリーが挿入された状態である旨を示す表示がされる。
【００５７】
また、電圧検出部４６３は、電力供給部４５が保持部４７によって保持されていると判断した場合には、検出された電圧の値と、第２の閾値とを比較する。第２の閾値とは、ユーザーが任意で設定した値である。ここで、検出された電圧の値が第２の閾値以下である場合、電圧検出部４６３は、表示切替部４６１に対し表示切替の指令を送る。具体的に、電圧検出部４６３は、表示切替部４６１に対し、表示部４２に「要充電」を表示させるように指令する（図４参照）。一方、検出された電圧の値が第２の閾値を上回っている場合には、表示切替部４６１に対し表示切替の指令は送らない。
【００５８】
（３）表示態様の切り替え
次に、図１０を用いて表示態様の切り替えについて説明する。なお、表示内容および表示態様の切り替えは、電力供給部４５が取り付けられている間は、電力供給部４５によって供給される電力を用いて行われ、電力供給部４５が取り外された後は、補助電力供給部４６４によって供給される電力を用いて行われる。
【００５９】
まず、ステップＳ１で、電圧検出部４６３によって電力供給部４５が保持されているか否かが判断される。具体的には、検出される電圧値が、第１の閾値を上回るかどうかが判断される。言い換えると、電圧値が検出されるかどうかが判断される。電圧検出部４６３によって電力供給部４５が保持されている（第１の状態）と判断された場合には、ステップＳ２に進み、電力供給部４５が保持されていない（第２の状態）と判断された場合には、ステップＳ４に進む。
【００６０】
ステップＳ２では、検出した電圧の値と、第２の閾値とが比較される。検出した値が第２の閾値より大きい場合、ステップＳ１に戻る。一方、検出した値が第２の閾値以下であった場合、ステップＳ３に進む。
【００６１】
ステップＳ３では、電圧検出部４６３から表示切替部４６１に対して表示切替の指令が送られる。具体的には、表示部４２に「要充電」を表示させる指令が送られる。その後、ステップＳ１に戻る。
【００６２】
一方、ステップＳ４（電力供給部４５が保持されていないと判断された場合）では、電圧検出部４６３から表示切替部４６１に対して表示切替の指令が送られる。具体的には、表示部４２に「ＢＡＴ  ＯＵＴ」を表示させる指令が送られる。その後、ステップＳ５に進む。
【００６３】
ステップＳ５では、電圧検出部４６３によって電力供給部４５が保持されているか否かが判断される。電圧検出部４６３によって電力供給部４５が保持されていると判断された場合には、ステップＳ６に進み、電力供給部４５が保持されていないと判断された場合には、待機する。
【００６４】
ステップＳ６では、電圧検出部４６３から表示切替部４６１に対して表示切替の指令が送られる。具体的には、表示部４２に「ＢＡＴ  ＩＮ」を表示させる指令が送られる。その後、ステップＳ７に進む。
【００６５】
ステップＳ７では、検出した電圧の値と、第２の閾値とが比較される。検出した値が第２の閾値より大きい場合、ステップＳ１に戻る。一方、検出した値が第２の閾値以下であった場合、ステップＳ３に進む。
【００６６】
（４）特徴
（４−１）
上記実施形態に係る表示装置１４は、電力供給部４５が取り付けられた状態と、電力供給部４５が取り外された状態とで、表示画面の態様を変更する。上記実施形態に係る表示装置１４では、消費電力を抑制するため、表示画面に電子ペーパーを用いている。電子ペーパーは、一旦表示画面に情報を表示させると、当該情報の表示を維持するために電力を必要としない。したがって、省電力および省コストの実益が高い。ところで、上記実施形態に係る表示装置１４は、取り外し可能な電力供給部４５を備える。また、電力供給部４５は充電式のバッテリーである。すなわち、電力供給部４５が有線により電力を供給するものではないため、電力供給部４５を充電するために、表示装置１４から取り外す必要がある。したがって、所定時間間隔毎（例えば、一日一回）に電力供給部４５を取り外し充電する必要が生じる。ここで、物流センター等で多数の表示装置１４を用いる場合に、取り外し、充電、および取り付けの作業を、各表示装置１４の電力供給部４５のそれぞれに対して行うよりも、全表示装置１４の電力供給部４５をまとめて取り外し、充電し、さらに取り付ける方が、効率がよい。しかし、上記実施形態に係る表示装置１４は、電子ペーパーを用いるため、電力供給部４５が取り外された表示装置１４と、電力供給部４５が取り外されていない表示装置１４との区別は容易ではない。すなわち、電力供給部４５が取り外された表示装置１４であっても、電力供給部４５が取り外される前に表示していた情報を画面に表示し続けるため、画面を見ただけでは電力供給部４５が取り外されたか否かを判別することは難しい。したがって、どの表示装置１４の電力供給部４５を取り外したかが不明になった場合には、各表示装置１４の保持部４７を確認する必要が生じ、作業が煩雑になる。
【００６７】
しかし、上記実施形態に係る表示装置１４は、電力供給部４５が取り外された場合に、表示部４２の態様が切り替えられる。すなわち、画面に表示されていた個数表示等の情報に代えて、電力供給部４５が取り外されたことを示す態様に切り替えられる。具体的には、画面に表示される個数表示等の情報が、「ＢＡＴ  ＯＵＴ」の文字に切り替えられる。これにより、電力供給部４５の入れ替え等を行う作業者ＯＰは、電力供給部４５の保持状態を瞬時に判別することができる。これにより、作業効率を向上させることができる。
【００６８】
（４−２）
また、上記実施形態に係る表示装置１４では、電力供給部４５の保持部４７が第１付勢部４７４と第２付勢部４７５とを有する。第１付勢部４７４は、電力供給部４５を枠体ＣＳの外側に押し出す方向に力（第１の力）を加える。第２付勢部４７５は、電力供給部４５が遮蔽部４７３によって覆われているとき、第１付勢部４７４によって電力供給部４５に加えられた力を打ち消すように、電力供給部４５に力（第２の力）を加える。すなわち、遮蔽部４７３が閉じられているとき、第２付勢部４７５は、電力供給部４５を保持部４７の内部に留める。また、第２付勢部４７５は、電力供給部４５が遮蔽部４７３によって覆われていないとき、電力供給部４５に力を加えない。すなわち、遮蔽部４７３が開けられると、電力供給部４５は第１付勢部４７４の力により挿入口４７１の方向に押し出される。
【００６９】
これにより、枠体ＣＳの内部に装着された電力供給部４５を、容易に取り外すことができる。
【００７０】
（４−３）
また、上記実施形態に係る表示装置１４は、保持部４７に、第３付勢部４７６をさらに有する。第３付勢部４７６は、電力供給部４５に加えられた外方向の力を低減させる力（第３の力）を、電力供給部４５に常時加える。したがって、遮蔽部４７３が開けられた場合（すなわち、遮蔽部４７３が下方向にスライドされた場合）であっても、電力供給部４５が保持部４７から飛び出すことを防止することができる。
【００７１】
（５）変形例
（５−１）変形例Ａ
上記実施形態では、物品を仕分けるシステムとしてソーティングシステムを例に挙げて説明したが、物品を仕分けるシステムとしてピッキングシステムを採用する場合にも上記実施形態に係る表示装置１４を用いることができる。ピッキングシステムは、物品の種類別に設けられた備え付けコンテナ（例えば、カゴ台車）７０から、各店舗に配送すべき物品を取り出して、作業者ＯＰによって搬送される台車ＴＣに当該物品を載せていくことにより、出荷先別に物品を仕分けるシステムである。
【００７２】
（５−２）変形例Ｂ
また、上記実施形態では、電力供給部４５が取り外された場合に表示画面の態様として、表示部４２に「ＢＡＴ  ＯＵＴ」を表示させたが、図１１に示すように、電力供給部４５が取り外された場合に画面に何も表示させなくてもよい。すなわち、表示切替部４６１は、電力供給部４５が取り外されたことを示す文字を表示する代わりに、表示画面に表示させていた内容を消去してもよい。これによっても、電力供給部４５が取り外されたか否かの判別が容易にできるため、電力供給部４５の取り付け・取り外し作業を円滑に行うことができる。
【００７３】
（５−３）変形例Ｃ
また、電力供給部４５が取り外された場合に、表示部４２に表示されている仕分け作業に関連する情報のうち一部の情報については、表示状態を維持してもよい。例えば、表示部４２に表示された個数表示は消去し、ロケーションＩＤ（ロケーション番号）、店舗ＩＤ（店番号）、商品ＩＤ（商品番号）等の表示状態は維持するように設計してもよい。さらに、電力供給部４５が取り外された場合に、個数表示以外の全ての情報が表示されるように設計されていてもよい。これによっても、バッテリーが取り外された場合に、表示装置１４の表示態様が変化するので、電力供給部４５の取り付け作業および取り外し作業を円滑に行うことができる。
【００７４】
（５−４）変形例Ｄ
上記実施形態では、電圧検出部４６３によって検出される値と第１の閾値とを比較して、保持部４７による電力供給部４５の保持状態（第１状態または第２状態）の変化を検出した。しかし、保持部４７にスイッチ機構を設け、保持部４７による電力供給部４５の保持状態によってスイッチがオン／オフ状態を切り替えるように設計されていてもよい。これにより、電圧検出部４６３によって電圧値をみることなく、表示画面の態様を変化させることができる。また、スイッチ機構を設けることにより、制御装置を駆動させることなく、表示部４２単体で表示態様を変化させることができる。
【符号の説明】
【００７５】
１０    ホストコンピュータ
１１    中継器
１２    サブコンピュータ
１３    表示コントローラ
１４    表示装置
４１    通信部
４２    表示部
４３    報知部
４４（４４ａ−４４ｃ）    入力部
４５    電力供給部
４６    制御装置
１００  仕分けシステム
４６１  表示切替部
４６２  送信部
４６３  電圧検出部
４６４  補助電力供給部
【先行技術文献】
【特許文献】
【００７６】
【特許文献１】特開２００７−２９０８０３号公報
【図１】
2013020156.tif 000003
【図２】
2013020156.tif 000004
【図３】
2013020156.tif 000005
【図４】
2013020156.tif 000006
【図５】
2013020156.tif 000007
【図６】
2013020156.tif 000008
【図７】
2013020156.tif 000009
【図８】
2013020156.tif 000010
【図９】
2013020156.tif 000011
【図１０】
2013020156.tif 000012
【図１１】
2013020156.tif 000013